(57)【特許請求の範囲】
【請求項１】
可視光線領域内の波長を発光する複数の発光ダイオードを冷蔵室の天面に配置した照明装置と、前記冷蔵室の下面に設置して庫内の照度を検知し、前記発光ダイオードの電流を変化させる照度検知装置と、前記冷蔵庫の扉の開閉を検出する扉開閉検知手段とを備え、前記冷蔵庫の扉閉時に前記照明装置を点灯させ、前記照度検知装置により個別の前記発光ダイオードの電流を変化させて前記発光ダイオードの劣化による照度低下が発生した場合でも所定の庫内照度に調整することを特徴とした冷蔵庫。
【請求項２】
扉開閉検知手段が扉開を一定時間検知しなかった場合、前記照明装置を点灯させ、前記照度検知装置により前記発光ダイオードの電流を変化させて所定の庫内照度に調整することを特徴とする請求項１に記載の冷蔵庫。
【発明の詳細な説明】
【技術分野】
【０００１】
本発明は、照明装置を庫内に設置した冷蔵庫に関するものである。
【背景技術】
【０００２】
近年、冷蔵庫内照明装置として、従来の白熱灯や電球に変わり、発熱性が低い、赤外波長がでない、低電圧駆動できる等の理由で半導体発行素子を用いるものが提案されている。
【０００３】
従来の発光ダイオードを照明装置として利用した冷蔵庫としては、複数の発光ダイオードを正方形に配置し、庫内天面に設置して庫内照射しているものがある（例えば、特許文献１参照）。
【０００４】
図４は特許文献１に記載された従来の製氷機の照明装置の斜視図であり、図５は図４の照明装置を製氷機の庫内天面に設置した概念図を示すものである。
【０００５】
図４の照明装置３０において、実装基板１０１は平板状で、一面または両面に回路パターン（図示せず）が形成され、熱伝導性の良好なエポキシ樹脂系の基板や絶縁金属基板を使用する。白色ＬＥＤ１０２は砲弾状に形成され、ＧａＮ系の青色ＬＥＤからの青色光を用いて蛍光材を励起して白色光を得る構造で、電流を通電する２本の通電端子１０３が導出される。
【０００６】
断熱板１０４は、ウレタン等の樹脂により平板状に形成され、複数の挿通孔が並設されて、実装基板１０１と発光ダイオード１０２との間に設けられる。ここで、発光ダイオード１０２は通電端子１０３が断熱板１０４の挿通孔に挿通され、実装基板１０１の回路パターンに半田付けされて実装され、複数個が実装基板１０１に並設される。尚、発光ダイオード１０２の発熱量が少ない場合には、断熱板１０４は廃止しても構わない。
【０００７】
図５において、照明装置３０は、製氷機３１の庫内の天面３２に配置されている。
【０００８】
以上のように構成された発光ダイオードを照明装置として利用した冷蔵庫について、以下その動作を説明する。
【０００９】
まず、冷蔵庫の扉が閉まっている時には、発光ダイオード１０２への通電は行なわず、庫内は照射されていない。扉が開けられると、機械式スイッチやホールＩＣ等の電子式スイッチで開扉状態と判断され、発光ダイオード１０２に順方向電流が流れて、白色光が発光されて庫内が照射される。
【特許文献１】特開２００１−８２８６９号公報
【発明の開示】
【発明が解決しようとする課題】
【００１０】
しかしながら、上記従来の構成では、複数の発光ダイオードは一定電流で作動点灯しているため、庫内に収納される食品の量によって庫内が暗くなったり明るくなったりして、所定の照度が得られないという課題を有していた。
【００１１】
本発明は、上記従来の課題を解決するもので、収納食品の量にかかわらず庫内の照度を常に所定の値に調整できる冷蔵庫を提供することを目的とする。
【課題を解決するための手段】
【００１２】
上記従来の課題を解決するために、本発明の冷蔵庫は、扉閉時に庫内の照明装置を点灯させ、照度検知装置にて庫内照度を検知し、複数の発光ダイオードの電流を変化させるものである。
【００１３】
これによって個々の発光ダイオードの照度に差異があっても、庫内照度を所定の値に調整することが可能となる。
【００１４】
また、本発明の冷蔵庫は、扉開が一定時間（例えば１日）無い状態が継続すれば複数の発光ダイオードを点灯し照度検知装置にて庫内照度を検知し、各々の発光ダイオードの電流を変化させるものである。
【００１５】
これによって、長時間の扉閉時に発光ダイオード劣化による照度低下が発生した場合でも庫内照度を所定の値にすることが可能となる。
【発明の効果】
【００１６】
本発明の冷蔵庫は、庫内の照度を常に所定の値に調整することで、収納食品の視認性を高めることができる。
【発明を実施するための最良の形態】
【００１７】
請求項１に記載の発明は、可視光線領域内の波長を発光する複数の発光ダイオードを冷蔵室の天面に配置した照明装置と、前記冷蔵室の下面に設置して庫内の照度を検知し、前記発光ダイオードの電流を変化させる照度検知装置と、前記冷蔵庫の扉の開閉を検出する扉開閉検知手段とを備え、前記冷蔵庫の扉閉時に前記照明装置を点灯させ、前記照度検知装置により個別の前記発光ダイオードの電流を変化させて前記発光ダイオードの劣化による照度低下が発生した場合でも所定の庫内照度に調整することにより、個々の発光ダイオードの照度に差異があっても庫内照度を所定の値に保つことができる。
【００１８】
請求項２に記載の発明は、請求項１に記載の発明において、扉開閉検知手段が扉開を一定時間検知しなかった場合、前記照明装置を点灯させ、前記照度検知装置により前記発光ダイオードの電流を変化させて所定の庫内照度に調整することにより、長時間の扉閉時による発光ダイオードの劣化が原因で照度低下等が発生した場合でも、庫内照度を所定の値にすることができる。
【００１９】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００２０】
（実施の形態１）
図１は、本発明の実施の形態１における冷蔵庫の断面図である。照明装置２０は発光ダイオード１１、１２、１３から構成され、それぞれ冷蔵室１４内の天面に配設されている。扉開閉検出手段１５は冷蔵室１４の扉１６の開閉状態を検出する。照度検知装置１７は冷蔵室１４の下面に設置されていて、庫内照度を検知するとともに庫内照度を所定の値にするため発光ダイオード１１、１２、１３の電流を変化させる。ここで、発光ダイオード１１、１２、１３の配置を冷蔵室１４内の扉近傍側面に、照度検知装置１７の配置を冷蔵室１４の奥面の構成としても良い。
【００２１】
以上のように構成された冷蔵庫について、以下、図２のフローチャートを用いて動作、作用を説明する。
【００２２】
ステップ１００において扉開閉検出手段１５による扉１６の状態が開状態にある場合は閉状態になるまでステップ１００で待機する。扉閉状態になればステップ１０１に進み、照度検知装置１７が発光ダイオード１１、１２、１３に電流を流し点灯させる。次にステップ１０２で照度検知装置１７によって庫内照度が所定の値かどうかを判断する。庫内照度が所定の値でなければステップ１０３にて照度検知装置１７が発光ダイオード１１、１２、１３の電流を変化させた後、ステップ１０２に戻り、所定の値になるまでこのステップは継続する。ここで、発光ダイオード１１、１２、１３の電流を変化させる場合に、各々三つ同時に変化させても良いし、いずれか一つまたは二つのみ変化させても良い。そして、庫内照度が所定の値になればステップ１０４に進み発光ダイオード１１、１２、１３の電流を停めて消灯させる。次のステップ１０５おいて扉開閉検出手段１５は扉１６の状態が開状態になるまでステップ１０５で待機する。扉１６が開状態になればステップ１０６で発光ダイオード１１、１２、１３にステップ１０３で設定された電流を流し点灯させる。次のステップ１０７で扉開閉検出手段１５が扉１６の状態が閉状態になるまでステップ１０７で待機する。扉１６が閉状態になればステップ１０２に戻り、上記の動作を繰り返す。
【００２３】
以上のように、本実施の形態においては、扉閉時の暗い状態で発光ダイオードの照度を調整するので、個々の発光ダイオードの照度が異なっても扉開時に庫内照度を所定の値にすることができる。
【００２４】
（実施の形態２）
図３に本発明の実施の形態２における冷蔵庫のフローチャートを示し、動作、作用を説明する。
【００２５】
なお、前記実施の形態１と同様の構成については詳細な説明は省略する。
【００２６】
ステップ１０１からステップ１０４までは実施の形態１の構成と同じである。ステップ１０５にて扉開閉検出手段１５が扉閉状態であればステップ４００に進む。ステップ４００では、扉閉時間をカウントし、扉閉時間が一定時間（例えば１日）以下であればステップ１０５に戻って繰り返し、一定時間以上経過すればステップ１０６に進む。ステップ１０６以降は実施の形態１の動作と同じである。
【００２７】
以上のように、本実施の形態においては、長時間の扉閉時に発光ダイオード劣化による照度低下等が発生した場合でも、定期的に庫内照度を調整することによって、庫内照度を所定の値に保つことができる。
【産業上の利用可能性】
【００２８】
以上のように、本発明にかかる冷蔵庫は、発光ダイオードの照明装置を備えた家庭用又は業務用冷蔵庫に適用でき、さらに、扉のある物品貯蔵装置など発光ダイオード照明を適用する幅広い設備機器にも応用できるものである。
【図面の簡単な説明】
【００２９】
【図１】本発明の実施の形態１における冷蔵庫の断面図
【図２】同実施の形態の冷蔵庫のフローチャート
【図３】本発明の実施の形態２における冷蔵庫のフローチャート
【図４】従来の製氷機の照明装置の斜視図
【図５】図４の照明装置を製氷機の庫内天面に設置した概念図
【符号の説明】
【００３０】
１１  発光ダイオード
１２  発光ダイオード
１３  発光ダイオード
１４  冷蔵室
１５  扉開閉検出手段
１６  扉
１７  照度検知装置
２０  照明装置
【図１】
0005082778.tif 000002
【図２】
0005082778.tif 000003
【図３】
0005082778.tif 000004
【図４】
0005082778.tif 000005
【図５】
0005082778.tif 000006